(57)【要約】【課題】メモリ（ＤＩＭＭ）およびＤＩＭＭ関連部品の寸法バラツキを吸収し、簡単な構成でＤＩＭＭ固定装置の取り付け精度を向上するＤＩＭＭ固定装置を提供することを目的とする。【解決手段】情報処理装置内部に取り付けられたＤＩＭＭを固定するメモリ固定装置１６１であって、メモリの端面を押しつけて支持する壁部Ａと、弾性構造を有し、メモリ固定装置の取り付けベースを基に壁部Ａをメモリの端面に向かって常に押し上げるように密着してバランスを保つ作用を有する支持部Ｃと、を備えることにより、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、長期にわたる繰り返しの振動の結果、ＤＩＭＭがスロットから抜け落ちてしまうことのないという作用が得られる。【選択図】図１
2008097963.tif 000002
【特許請求の範囲】
【請求項１】
情報処理装置内部に取り付けられたメモリを固定するメモリ固定装置であって、
前記メモリの端面を押しつけて支持する壁部と、
弾性構造を有し、前記メモリ固定装置の取り付けベースを基に前記壁部を前記メモリの端面に向かって常に押し上げるように密着してバランスを保つ作用を有する支持部と、
を備えたことを特徴とする情報処理装置のメモリ固定装置。
【請求項２】
前記支持部は一対の脚形状で、一対の脚は対称、同一厚み、同一材質で構成することでバランス作用を有するものであることを特徴とする請求項１に記載の情報処理装置のメモリ固定装置。
【請求項３】
前記支持部は弾性性質を有する部材で構成されることを特徴とする請求項１に記載の情報処理装置のメモリ固定装置。
【請求項４】
弾性の性質のある樹脂材で一体成型されることを特徴とする請求項１に記載の情報処理装置のメモリ固定装置。
【発明の詳細な説明】
【技術分野】
【０００１】
本発明は、ノートパソコンのような携帯型の情報処理装置（以下、総称してノートパソコン）内部にメモリを取り付けた後、これを固定するメモリ固定装置に関するものである。
【背景技術】
【０００２】
近年、ノートパソコンはその携帯性のために屋外に持ち出す機会も多い。従って軽量、コンパクト以外にも堅牢性も要求される。ノートパソコンを誤って床に落下させたり、ノートパソコンの長期にわたる繰り返しの振動でも正しく動作するといったことも重要な要件なる。
【０００３】
以下に、一般に良く知られている従来のノートパソコンのメモリの取り付け手順について説明する。
【０００４】
図４はメモリの取り付ける手順を示した図である。
【０００５】
１１はパソコンのメモリ、ＲＡＭ（増設用メモリ、ＤＩＭＭとも言う。以下、ＤＩＭＭと称す。：Ｄｕａｌ  Ｉｎｌｉｎｅ  Ｍｅｍｏｒｙ  Ｍｏｄｕｌｅ）であり、一般にはノートパソコン本体の筐体裏面に着脱可能な蓋があり、これを取り外すことでＤＩＭＭの取り付け、取り外しが可能である。１２はメモリスロット、１３はスロットレバーである。図４（ａ）のようにＤＩＭＭ１１の電極をメモリスロット１２の方向（矢印の方向）に向かって挿入する。ＤＩＭＭ１１の挿入後、スロットレバー１３を図４（ｂ）の矢印に移動し、スロットレバー１３の先端突起部分１４をＤＩＭＭ１１の窪み１５に合うようにロックさせてＤＩＭＭ１１を動かないように押さえつけて固定する（図４（ｃ））。
【特許文献１】特開２００２−２４７７０号公報
【特許文献２】特開２００５−２９３９９０号公報
【発明の開示】
【発明が解決しようとする課題】
【０００６】
しかしながら上記の従来の構成では、ＤＩＭＭが実装された状態でノートパソコンを誤って落下させてしまった場合、その衝撃でＤＩＭＭ１１がスロット１２から外れてしまう。また長時間にわたる繰り返しの振動の結果、やはりＤＩＭＭ１１がスロット１２から抜け落ちてしまうこともあり得る。この時ノートパソコンは電源オンしても正しく動作しない。ノートパソコンの場合、移動したり屋外に持ち出す機会も多くなり、このような事故は充分あり得ることである。
【０００７】
図５はＤＩＭＭ１１がノートパソコンを誤って落下させてしまった場合、長期にわたる繰り返しの振動の結果、ＤＩＭＭ１１がスロット１２から抜け落ちてしまう過程を示した図である。
【０００８】
実際の落下テストの結果、図５に示すような過程でＤＩＭＭ１１はスロットレバー１３の先端突起部分１４とＤＩＭＭ１１の窪み１５で構成したロック機構がはずれて（図５（ｂ））、ロック機構に対してスロット１２から抜け落ちることがある（図５（ｃ））。
【０００９】
この対応策として図６（ａ）のＤＩＭＭ固定装置１６２を新たに設け、ネジ１７によりノートパソコンのフレームまたは筐体に形成した取り付けベースに固定した。（図面手前が取り付けベース、ネジ１７は図面裏側から手前に向かって挿入し、締め付ける。）これによりＤＩＭＭ１１が脱落する方向（矢印）とは逆方向にＤＩＭＭ１１端面をＤＩＭＭ固定装置１６２の壁部Ａで支えるため、衝撃、振動でＤＩＭＭ１１がスロット１２から抜け落ちることはなくなる。
【００１０】
しかしながら上記の従来の構成では、ＤＩＭＭ固定装置１６２の取り付け精度によっては図６（ｂ）のようにＤＩＭＭ１１端面とＤＩＭＭ固定装置１６２の壁部Ａとの間に間隙（対向する矢印で図示）ができてしまう。同様に、ＤＩＭＭ固定装置１６２の取り付け精度によっては図６（ｃ）のようにＤＩＭＭ１１に対してＤＩＭＭ固定装置１６２が傾いた状態（対向する矢印で図示）で取り付けられてしまう。これはネジ１７とネジ穴（図示せず）の穴位置バラツキを吸収するためにＤＩＭＭ固定装置１６２のネジ１７を通す穴を広くとっていることにも起因する。
【００１１】
このように、ＤＩＭＭ１１端面とＤＩＭＭ固定装置１６２の壁部Ａとの間に間隙ができたり、傾いた状態で取り付けられてしまってできた間隙により、ノートパソコンを誤って落下させてしまった場合、ノートパソコンの長期にわたる繰り返しの振動の結果、その衝撃によりＤＩＭＭ１１端面が間隙を移動しながらＤＩＭＭ固定装置１６２の壁部Ａを叩くようにして間隙を徐々に広げ、ＤＩＭＭ１１がスロット１２から抜け落ちてしまう、あるいはネジが緩んでしまう結果、ＤＩＭＭ固定装置１６２が外れてしまう。
【００１２】
本発明は上記従来の問題点を解決するもので、ＤＩＭＭおよびＤＩＭＭ関連部品の寸法バラツキを吸収し、簡単な構成でＤＩＭＭ固定装置の取り付け精度を向上するＤＩＭＭ固定装置を提供することを目的とする。
【課題を解決するための手段】
【００１３】
本発明の請求項１に記載の発明は、情報処理装置内部に取り付けられたメモリを固定するメモリ固定装置であって、前記メモリの端面を押しつけて支持する壁部と、弾性構造を有し、前記メモリ固定装置の取り付けベースを基に前記壁部を前記メモリの端面に向かって常に押し上げるように密着してバランスを保つ作用を有する支持部と、を備えたことを特徴とする情報処理装置のメモリ固定装置、としたものであり、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、長期にわたる繰り返しの振動の結果、ＤＩＭＭがスロットから抜け落ちないという作用を有する。
【発明の効果】
【００１４】
以上のように本発明のＤＩＭＭ固定装置は、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、長期にわたる繰り返しの振動の結果、ＤＩＭＭがスロットから抜け落ちてしまうことのないという優れた効果が得られる。
【発明を実施するための最良の形態】
【００１５】
以下、本発明の実施の形態について、図１から図３を用いて説明する。
【００１６】
（実施の形態１）
図１は本発明のＤＩＭＭ固定装置の平面図（ａ）と斜視図（ｂ）であります。
【００１７】
図１において、１６１は本発明のＤＩＭＭ固定装置、ＡはＤＩＭＭが抜け落ちる方向とは逆にＤＩＭＭ端面を押しつけて支持するリブ状に成型した壁部、Ｂは重ねてＤＩＭＭをメモリスロットに挿入する場合を想定して形成された壁部である。なお、本実施の形態では１個のＤＩＭＭで説明し、壁部Ｂについては後述の図２でＤＩＭＭを２個重ねて取り付けた図を示し、以降、詳しく触れない。
【００１８】
ＣはＤＩＭＭ固定装置１６１をＤＩＭＭ１１端面に向かって押し上げる支持部であり、ＤＩＭＭ固定装置１６１を形成する成型品の弾性性質を利用してＣ部の弾性構造により、取り付けベース部（後述）を基礎に常に押し上げるように作用し、壁部ＡがＤＩＭＭ１１端面を押し上るように密着してバランスを保つ。一対の支持部Ｃは左右対称、同一厚み、同一材質あるのでＤＩＭＭ端面を押し上るように密着してバランスを保つことができる。
【００１９】
ＤはＤＩＭＭ固定装置１６１を固定するネジを通すネジ穴である。
【００２０】
ＤＩＭＭ固定装置１６１は非導電性で、支持部Ｃを考慮して割れにくい弾性性質のある樹脂材で一体成型されることが望ましい。
【００２１】
図２は２個のメモリスロットにＤＩＭＭを２個重ねて取り付けた場合の側面図である。１１−１，１１−２はＤＩＭＭ、１２−１，１２−２はメモリスロット、１７は取り付けベース２０にＤＩＭＭ固定装置１６１を固定するネジである。
【００２２】
なお、本実施の形態では１個のＤＩＭＭで説明し、ＤＩＭＭ１１−２、メモリスロット１２−２には以降触れないものとする。
【００２３】
また、図１のＤＩＭＭ固定装置１６１は図２の下方から見た図、つまり取り付けベース側から見た図を示し、図５〜図６，以降説明の図３〜図４も同様に取り付けベース側から見た図を示す。
【００２４】
図３はＤＩＭＭ固定装置１６１の取り付け手順を示した図である。
【００２５】
図３において２０はＤＩＭＭ１１，スロット１２、ＤＩＭＭ固定装置１６１等を取り付ける取り付けベースである。
【００２６】
以上のように構成されたＤＩＭＭ固定装置ついて、図１〜図３を用いてその詳細を説明する。
【００２７】
図３において、ＤＩＭＭ１１をスロット１２に挿入する（ａ）。次に少しＤＩＭＭ固定装置１６１の支持部Ｃを押し上げるように押し縮めた状態でＤＩＭＭ固定装置１６１をはめ込む。この状態では支持部Ｃ部の弾性構造と取り付けベース２０とにより壁部ＡがＤＩＭＭ１１端面を押し上るように密着し、また一対の支持部Ｃの左右対称、同一厚み、同一材質によるバランス作用によってＤＩＭＭ固定装置１６１が傾くことのない状態でバランスを保つために、ＤＩＭＭ１１端面とＤＩＭＭ固定装置１６１の壁部Ａとは密着して保持され、図６（ｂ）（ｃ）のような間隙、傾きはできない。
【００２８】
この状態において、図面手前の取り付けベースに対してネジ１７は図面裏側から手前に向かってＤＩＭＭ固定装置１６１の穴部に挿入し、締め付ける。このような手順によってＤＩＭＭ固定装置１６１を取り付けベース２０に固定することで間隙、傾き、ガタのないＤＩＭＭ１１の固定と、ＤＩＭＭ固定装置１６１の取り付けが完了する（図３（ｃ））。
【００２９】
以上のように本実施の形態によれば、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、長期にわたる繰り返しの振動の結果、ＤＩＭＭがスロットから抜け落ちてしまうことのないＤＩＭＭ固定装置を提供することができる。
【００３０】
なお、また、ＤＩＭＭ固定装置は非導電性で、支持部Ｃを考慮して割れにくい弾性性質のある樹脂材で一体成型されることが望ましいとしたが、鋼のような弾性性質を有する金属と絶縁物による構成の複合部品でもＤＩＭＭ固定装置１６１と同様の構成も可能である。
【００３１】
弾性性質のある樹脂材で一体成型しなくとも、支持部Ｃだけを割れにくい弾性部材で構成してもよい。
【００３２】
また、非導電性でなくても、電気的に短絡することを防止する構成であればこれにかぎるものではない。
【００３３】
また、本実施の形態において、ＤＩＭＭ固定装置１６１のような形状、構成でなくてもＤＩＭＭ固定装置とＤＩＭＭ端面との間を間隙なく、バランスを保って押し上げた状態のままネジ固定できればこのような構成に限るものではないことは言うまでもない。
【産業上の利用可能性】
【００３４】
本発明にかかるメモリ（ＤＩＭＭ）固定装置は、ＤＩＭＭおよびＤＩＭＭ関連部品の寸法バラツキを吸収し、簡単な構成でＤＩＭＭ固定装置の取り付け精度を向上することができ、ノートパソコンを誤って落下させてしまった場合、長期にわたる繰り返しの振動の結果、ＤＩＭＭがスロットから抜け落ちてしまうことのないという優れた効果を有し、ノートパソコンのような携帯型の情報処理装置内部にメモリを取り付けた後、これを固定するメモリ固定装置等として有用である。
【図面の簡単な説明】
【００３５】
【図１】本発明のＤＩＭＭ固定装置の（ａ）平面図（ｂ）斜視図
【図２】２個のメモリスロットにＤＩＭＭを２個重ねて取り付けた場合の側面図
【図３】本発明のＤＩＭＭ固定装置の取り付け手順を示した図
【図４】ＤＩＭＭの取り付ける手順を示した図
【図５】ＤＩＭＭがスロットから抜け落ちてしまう過程を示した図
【図６】従来のＤＩＭＭ固定装置を新たに設けた図
【符号の説明】
【００３６】
１１  メモリ（ＤＩＭＭ）
１２  メモリスロット
１３  スロットレバー
１４  スロットレバーの先端突起部分
１５  ＤＩＭＭの窪み
１６１，１６２  ＤＩＭＭ固定装置
１７  ネジ
２０  取り付けベース
Ａ、Ｂ  壁部
Ｃ  支持部
Ｄ  ネジ穴
【図１】
2008097963.tif 000003
【図２】
2008097963.tif 000004
【図３】
2008097963.tif 000005
【図４】
2008097963.tif 000006
【図５】
2008097963.tif 000007
【図６】
2008097963.tif 000008